(57)【特許請求の範囲】
【請求項１】
所定位置に設置された土台と、
土台に回動自在に設けられた下段フレームと、
下段フレームを直立姿勢で固定する固定部材と、
下段フレーム上端近傍に固定され、上段フレームを直立姿勢、屈曲姿勢、又は折畳姿勢で夫々支持する連結部材と、
連結部材に前記各姿勢のうち任意の姿勢で支持された上段フレームと、
下段フレーム及び上段フレームに夫々張設されたネットと、を具備し、
前記上段フレームは、下端近傍から側方に突設された第１の支軸と、該第１の支軸の上方から側方に突設された第２の支軸とを具備するものであり、
前記連結部材は、前記第１の支軸が挿入される挿入部と、該挿入部周りに前記第２の支軸の回動軌道より内側に形成された周部とを有し、前記挿入部に、第１の直立姿勢用軸受部、第１の屈曲姿勢用軸受部、及び折畳姿勢用軸受部が形成されるとともに、前記周部に、第２の直立姿勢用軸受部、及び第２の屈曲姿勢用軸受部が形成されてなるものであることを特徴とする可動フレーム装置。
【請求項２】
前記第１の支軸の先端近傍と第２の支軸の先端近傍との間に抜け防止部材が架設されたことを特徴とする請求項１に記載の可動フレーム装置。
【請求項３】
前記土台は、基礎に下段フレームの下端部を挟入する挟入部材が立設されたものであり、該挟入部材及び下段フレームの下端部に、回動軸取付孔及び固定部材取付孔が夫々連穿され、該回動軸取付孔に回動軸が挿通されることにより、土台に下段フレームが回動自在に連結され、該固定部材取付孔に固定部材が挿抜されることにより、下段フレームを直立姿勢で固定、又は回動自在とされたものであることを特徴とする請求項１に記載の可動フレーム装置。
【請求項４】
前記下段フレーム及び上段フレームに、前記ネットを係止するための係止部が所定間隔で夫々並設され、
前記ネットは、外周縁が各係止部に夫々係止されることにより、下段フレーム及び上段フレームに夫々着脱可能に張設されたものであることを特徴とする請求項１に記載の可動フレーム装置。
【請求項５】
請求項４に記載の可動フレーム装置の係止部に係止されて、下段フレーム又は上段フレームに着脱可能に張設される可動フレーム装置用ネット。
【発明の詳細な説明】
【０００１】
【発明の属する技術分野】
本発明は、住宅の庭の周囲やベランダ等に設置され、日除けや目隠し等の目的で用いられる可動フレーム装置に関するものである。
【０００２】
【従来の技術】
住宅の庭の周囲等に設置する遮蔽構造としては、コンクリートブロックを用いた塀や金網式のフェンス、生垣等が一般的である。特に、伝統的に用いられている生垣は、単なる遮蔽としての役割ばかりでなく、植物の緑で目を楽しませてくれるという利点がある。
【０００３】
【発明が解決しようとする課題】
しかし、生垣は、通常、高さが人の身長以下程度であるから、住宅や周囲の環境によっては、日除けや目隠しとして不十分である場合があった。また、生垣の手入れは素人では難しいため、定期的に植木職人によって刈り込みを行ってもらう等の手入れが必要となり、維持管理に手間やコストがかかるという問題もあった。更に、マンション等の高層の集合住宅のベランダ等には生垣を設けることは困難であるが、該集合住宅においても、日除けや目隠しとして用いる簡易な遮蔽構造が求められていた。
【０００４】
一方、例えば、十分に高い金網式のフェンスを住宅の周囲に設置することは、コストが高く、また、集合住宅のベランダにおいては設置等に制限がある場合が多く、不適である。また、景観を高めるためにフェンスに植物を育成した場合、一旦植物が枯れると、その除去は面倒であり、放置すれば却って景観を損なってしまう。また、植物コンテナ等を掛止する方法もあるが、台風等の強風時には安全のために植物コンテナを取り外して別の場所に保管する必要があり、放置すれば植物コンテナ等が落下したりフェンス自体が倒壊するおそれもあり危険である。
【０００５】
本発明は、かかる問題に鑑みてなされたものであり、目隠しや日除け等として用いることができ、植物を育成することにより景観が高められ、更に、強風時等にも倒壊のおそれがない、簡易且つ低コストの可動フレーム装置を提供することを目的とする。
【０００６】
【課題を解決するための手段】
本発明の請求項１に係る可動フレーム装置は、所定位置に設置された土台と、土台に回動自在に設けられた下段フレームと、下段フレームを直立姿勢で固定する固定部材と、下段フレーム上端近傍に固定され、上段フレームを直立姿勢、屈曲姿勢、又は折畳姿勢で夫々支持する連結部材と、連結部材に前記各姿勢のうち任意の姿勢で支持された上段フレームと、下段フレーム及び上段フレームに夫々張設されたネットと、を具備し、前記上段フレームは、下端近傍から側方に突設された第１の支軸と、該第１の支軸の上方から側方に突設された第２の支軸とを具備するものであり、前記連結部材は、前記第１の支軸が挿入される挿入部と、該挿入部周りに前記第２の支軸の回動軌道より内側に形成された周部とを有し、前記挿入部に、第１の直立姿勢用軸受部、第１の屈曲姿勢用軸受部、及び折畳姿勢用軸受部が形成されるとともに、前記周部に、第２の直立姿勢用軸受部、及び第２の屈曲姿勢用軸受部が形成されてなるものである。
【０００７】
これにより、上段フレームを直立姿勢、屈曲姿勢、又は折畳姿勢のうち任意の姿勢で連結部材に支持させることができ、また、下段フレームを回動自在とすることにより、倒伏姿勢とすることもできる。従って、本可動フレーム装置に、例えばつる性の植物を育成し、直立姿勢で使用することにより、目隠しや日除けとして十分な機能を発揮でき、可動フレーム装置をその他の姿勢に変更することにより、高さを変更したり緑陰や藤棚として使用できる他、強風等による損傷や倒壊を防止することもできる。また、生垣のように職人による刈り込み等が不用となり、植物の維持管理が容易である。
【０００９】
また、本発明（請求項２）は、請求項１に記載の可動フレーム装置において、前記第１の支軸の先端近傍と第２の支軸の先端近傍との間に抜け防止部材が架設されたものである。
【００１０】
また、本発明（請求項３）は、請求項１に記載の可動フレーム装置において、前記土台は、基礎に下段フレームの下端部を挟入する挟入部材が立設されたものであり、該挟入部材及び下段フレームの下端部に、回動軸取付孔及び固定部材取付孔が夫々連穿され、該回動軸取付孔に回動軸が挿通されることにより、土台に下段フレームが回動自在に連結され、該固定部材取付孔に固定部材が挿抜されることにより、下段フレームを直立姿勢で固定、又は回動自在とされたものである。
【００１１】
また、本発明（請求項４）は、請求項１に記載の可動フレーム装置において、前記下段フレーム及び上段フレームに、前記ネットを係止するための係止部が所定間隔で夫々並設され、前記ネットは、外周縁が各係止部に夫々係止されることにより、下段フレーム及び上段フレームに夫々着脱可能に張設されたものである。
【００１３】
また、本発明の請求項５に係る可動フレーム装置用ネットは、請求項４に記載の可動フレーム装置の係止部に係止されて、下段フレーム又は上段フレームに着脱可能に張設されるものである。
【００１４】
【発明の実施の形態】
以下、本発明の実施の形態に係る可動フレーム装置を図面に基づき具体的に説明する。
図１及び図２に示すように、本可動フレーム装置１００は、地面Ｇに固設された土台１０１と、土台１０１に回動自在に設けられた下段フレーム１０２と、下段フレーム１０２を直立姿勢で固定する固定部材１０３と、下段フレーム１０２上端近傍に固定され、上段フレーム１０５を直立姿勢、屈曲姿勢、又は折畳姿勢で夫々支持する連結部材１０４と、連結部材１０４に任意の姿勢で支持された上段フレーム１０５と、下段フレーム１０２内及び上段フレーム１０５内に夫々張設されたネット１０６とを具備してなるものである。
【００１５】
下段フレーム１０２は、図１に示すように、管体が２箇所で略直角に曲げられた枠体２０の基端側に、同様の管体からなる棒状の横枠２１が固定されることにより、下端側に枠体２０の両先端が突出した概略矩形の形状をなすものであり、各寸法は特に限定されるものではないが、一般的な戸建て住宅や集合住宅で使用する場合、管体の外径が約２０ｍｍ程度、高さが約１５０〜１９０ｃｍ程度、幅が約１５０ｃｍ程度で、枠体２０の両先端が１０〜２０ｃｍ程度突出したものが好適である。
【００１６】
なお、前記各寸法は、遮蔽すべき高さや設置すべき場所等にあわせて適宜変更できることは当然であり、本実施の形態で示す寸法は、その一例である。また、前記枠体２０及び横枠２１は、鉄、アルミニウム若しくはステンレス鋼等の金属又は合成樹脂等で形成することができる。
【００１７】
図３は、下段フレーム１０２の上部付近Ｐの裏側の構成を示す拡大斜視図であるが、下段フレームの枠体２０及び横枠２１には、下段フレーム１０２の後方（裏側）に向かって突出するように、ピン状の係止部２２が所定間隔で並設されており、該各係止部２２に、ネット１０６の外周縁が夫々係止されることにより、ネット１０６が下段フレーム１０２内に着脱可能に張設されている。このように、ピン状の係止部２２を下段フレーム１０２の後方に向かって突設することにより、ネット１０６の着脱を容易ならしめるとともに、屈曲姿勢において植物１を手入れする際にネット１０６が脱落することを防止する。
なお、本発明において、係止部の形状や突出方向はネットを係止できるものであれば特に限定されるものではなく、例えば、Ｌ字形状や鉤状のものをフレーム内方に向かって突設したものであってもよい。また、ネット１０６は、伸縮性のある素材が好ましく、例えば、合成樹脂等で形成することができる。また、植物性材料であるシュロ縄等をネット１０６を形成すれば、不要となったネット１０６を可燃ゴミとして廃棄又は堆肥化することができる。
【００１８】
図４は、土台１０１及び下段フレーム１０２の下端部近傍Ｑの詳細な構成を示す分解斜視図であるが、図に示すように、土台１０１は、コンクリートブロック（基礎）１０に、下段フレーム１０２の下端部を挟入する挟入部材１１が立設されてなるものである。該挟入部材１１は、下段フレーム１０２の下端部が挿入可能な管体であって、その上端部分から下方に向かって、下段フレーム１０２の下端部が挿入可能な幅の一対のＵ字溝１１ａが形成されたものである。更に、挟入部材１１及び下段フレーム１０２の下端部には、一対のＵ字溝１１ａが対向する方向に直交するように、回動軸取付孔１１ｂ及び固定部材取付孔１１ｃが上下に離間して夫々連穿されている。このように構成された挟入部材１１に下段フレーム１０２の下端部が挿入され、挟入部材１１及び下段フレーム１０２の各回動軸取付孔１１ｂにノブボルト１２が挿通されてナット１３で固定されることにより、該ノブボルト１２が回動軸となって土台１０１の挟入部材１１に下段フレーム１０２が回動自在に連結されている。
【００１９】
一方、前記固定部材取付孔１１ｃには、固定部材１０３が取り付けられる。固定部材１０３は、ノブボルト３０及びナット３１からなり、該ノブボルト３０が、前記挟入部材１１及び下段フレーム１０２の固定部材取付孔１１ｃに挿通されてナット３１で固定されることにより、土台１０１に回動自在に連結された下段フレーム１０２を直立姿勢で固定する。図５は、固定部材１０３を抜き取り、下段フレーム１０２を倒伏させた状態を示す部分側面図であるが、図に示すように、固定部材１０３を抜き取ることにより、下段フレーム１０２がノブボルト１２を回動軸として回動自在となり、下段フレーム１０２の下端が挟入部材１１のＵ字溝１１ａに挿入されるような状態で、下段フレーム１０２が倒伏する。このように、前記固定部材取付孔１１ｃに固定部材１０３を挿抜することにより、下段フレーム１０２を直立姿勢で固定、又は回動自在として倒伏姿勢にできるようになっている。
【００２０】
なお、本実施の形態においては固定部材１０３としてノブボルト３０及びナット３１を用いたが、固定部材取付孔１１ｃに挿通されて下段フレーム１０２の回動を規制するものであれば、例えばピン等のその他の部材を固定部材１０３として用いることができる。
【００２１】
また、挟入部材１１をコンクリートブロック１０に固設せずに、コンクリートブロック１０の上面に嵌入孔を設けて、該嵌入孔に挟入部材１１を嵌脱可能に固定するようにしてもより。これにより、植物が育成し難い冬期等、可動フレーム装置１００が不要な時期は、コンクリートブロック１０のみを地面に埋設したまま、挟入部材１１より上側の部材、即ち、挟入部材１１、下段フレーム１０２、上段フレーム１０５等を抜き取って収納することができ、不使用時は前記各部材を屋外に放置されずに保管され、可動フレーム装置１００の耐用年数が向上され、住宅周りの外観も良い。なお、コンクリートブロック１０から挟入部材１１を抜脱している間は、コンクリートブロック１０の嵌入孔を適当な蓋で閉じておけば土砂等の侵入を防止でき、再度の使用が容易である。
【００２２】
上段フレーム１０５は、図１に示すように、管体が２箇所で略直角に曲げられた枠体５０の下端側に、同様の管体からなる棒状の横枠５１が固定されることにより、下端側に枠体５０及び横枠５１の両先端が突出した概略矩形の形状をなすものであり、各寸法は特に限定されるものではないが、一般的な戸建て住宅や集合住宅で使用する場合、管体の外径が約２０ｍｍ程度、高さが約１１０〜１５０ｃｍ程度、幅が約１５０ｃｍ程度のものが好適である。
【００２３】
図６は、下段フレーム１０２と上段フレーム１０５との連結部分の詳細な構成を示す拡大正面図であるが、図に示すように、上段フレーム１０５の枠体５０の端部５０ａは、外側方に突出するように屈曲されており、横枠５１の端部５１ａは、枠体５０を貫通して、前記端部５０ａと同様に外側方に突出している。これにより、枠体５０の端部５０ａ及び横枠５１の端部５１ａが、上段フレーム１０５を支持する支軸となっている。
【００２４】
なお、上段フレーム１０５の枠体５０及び横枠５１には、図３で示した下段フレーム１０２と同様に、上段フレーム１０５の後方に向かって突出するように、ピン状の係止部５２が所定間隔で並設されており、該各係止部５２に、ネット１０６の外周縁が夫々係止されることにより、ネット１０６が上段フレーム１０５内に着脱可能に張設されている。
【００２５】
また、上段フレーム１０２の各寸法も、遮蔽すべき高さや使い易さ等にあわせて適宜変更できることは当然であり、本実施の形態で示す寸法は、その一例である。また、前記枠体５０及び横枠５１は、下段フレーム１０２と同様に、鉄、アルミニウム若しくはステンレス鋼等の金属又は合成樹脂等で形成することができる。
【００２６】
図６は、連結部材１０４近傍Ｒの詳細な構成を示す部分拡大図であるが、図に示すように、連結部材１０４は、プレート状のものであって、下段フレーム１０２の両側上端近傍に固定具４０により、上方に突出するように固定されている。図７は、図６のＡ−Ａ断面を示すものであるが、図に示すように、連結部材１０４は、前記枠体５０の端部５０ａが挿入される挿入部４１と、該挿入部４１周りに、周縁が前記横枠５１の端部５１ａの回動軌道より内側となるように形成された周部４２とを有するものである。
【００２７】
前記挿入部４１は、図７に示すように、前記端部５０ａが挿入可能な水平方向の長穴の両端から、更に下方へ長穴が連続的に形成された、いわば逆Ｕ字状の長穴であり、該長穴により、上段フレーム１０５を直立姿勢で支持するための直立姿勢用軸受部４１ａ、屈曲姿勢で支持するための屈曲姿勢用軸受部４１ｂ、及び折畳姿勢で支持するための折畳姿勢用軸受部４１ｃが連続的に形成されている。一方、前記周部４２は、前記挿入部４１の直立姿勢用軸受部４１ａの上方の位置に切欠された直立姿勢用軸受部４２ａ、及び前記挿入部４１の屈曲姿勢用軸受部４１ｂの斜め上方の位置に切欠された屈曲姿勢用軸受部４２ｂを有し、該直立姿勢用軸受部４２ａと屈曲姿勢用軸受部４２ｂとの間に、前記端部５０ａが挿入部４１の屈曲姿勢用軸受部４１ｂに位置する際の端部５１ａの回動軌道より若干内側となるような弧状部４２ｃが形成されるとともに、屈曲姿勢用軸受部４２ｂから下方にかけて、前記端部５０ａが挿入部４１の折畳姿勢用軸受部４１ｃの上方の位置４１ｄに位置する際の端部５１ａの回動軌道より若干内側となるような弧状部４２ｄが形成されたものである。
【００２８】
更に詳細に説明するに、図７は、連結部材１０４が上段フレーム１０５を直立姿勢で支持した状態を示しており、枠体５０の端部５１ａが挿入部４１の直立姿勢用軸受部４１ａに担持されるとともに、横枠５１の端部５１ａが周部４２の直立姿勢用軸受部４２ａに担持され、これにより、連結部材１０４が上段フレーム１０５を直立姿勢で支持する。このとき、上段フレーム１０５は下段フレームと同一平面を形成している。
【００２９】
図８は、連結部材１０４が上段フレーム１０５を屈曲姿勢で支持した状態を示している。図に示すように、直立姿勢にあった上段フレーム１０５が上方へ引き上げられることにより、横枠５１の端部５１ａが連結部材１０４の周部４２の直立姿勢用軸受部４２ａから離脱されるとともに、枠体５０の端部５０ａが連結部材１０４の挿入部４１の直立姿勢用軸受部４１ａから離脱されて屈曲姿勢用軸受部４１ｂに当接する。その状態で、端部５０ａを軸として上段フレーム１０５が前方へ回動される。周部４２の弧状部４２ｃは、端部５１ａの回動軌道より内側となるように形成されているので、端部５１ａは弧状部４２ｃと接触することなく回動して屈曲姿勢用軸受部４２ｂに担持される一方、端部５０ａは挿入部４１の屈曲姿勢用軸受部４１ｂにより端部５１ａを支点とした上方向への動きが規制され、これにより、連結部材１０４が上段フレーム１０５を屈曲姿勢で支持する。このとき、上段フレーム１０５が水平面と交わる角度は約１０°である。
【００３０】
図９は、連結部材１０４が上段フレーム１０５を折畳姿勢で支持した状態を示している。図に示すように、屈曲姿勢にあった上段フレーム１０５が斜め上方へ引き上げられることにより、横枠５１の端部５１ａが周部４２の屈曲姿勢用軸受部４２ｂから離脱されるとともに、枠体５０の端部５０ａが連結部材１０４の挿入部４１の屈曲姿勢用軸受部４１ｂから水平方向にスライド移動して位置４１ｄに当接する。その状態で、端部５０ａを軸として上段フレーム１０５が下方へ回動される。周部４２の弧状部４２は、端部５１ａの回動軌道より内側となるように形成されているので、端部５１ａは弧状部４２ｄと接触することなく回動する。上段フレーム１０５が下方へ回動された後、上段フレーム１０５は自重で下方向へ移動し、端部５０ａが挿入部４１の折畳姿勢用軸受部４１ｃに担持され、これにより、連結部材１０４が上段フレーム１０５を折畳姿勢で支持する。このとき、上段フレーム１０５は下段フレーム１０２と対向位置にある。
【００３１】
このようにして、連結部材１０４は、上段フレーム１０５を、直立姿勢、屈曲姿勢、及び折畳姿勢の各姿勢で夫々支持するものとなっている。また、図６に示すように、連結部材１０４に挿通された枠体５０の先端、及び横枠５１の先端には、プレート状の抜け防止部材５３が架設され、ボルト５４により各先端に固定されている。これにより、上段フレーム１０５の枠体５０の端部５０ａが連結部材１０４の挿入部４１から抜脱することを防止している。
【００３２】
なお、屈曲姿勢において上段フレーム１０５と水平面とがなす角度は１０°に限定されるものではなく、下段フレーム１０２の高さ寸法等にあわせて任意に設定できることは当然であるが、屈曲姿勢において植物の手入れを行ったり、緑陰や藤棚として使用すること等を考慮すると、屈曲姿勢にある上段フレーム１０２の上端が、地面から１６０ｃｍ〜１８０ｃｍ程度であることが好ましい。
【００３３】
図１０は、他の形態に係る連結部材１０７を示すものであるが、図に示すように、連結部材１０７は、前記連結部材１０４と同様に、上段フレーム１０５の枠体５０の端部５０ａが挿入される挿入部７１と、該挿入部７１周りに、周縁が横枠５１の端部５１ａの回動軌道より内側となるように形成された周部７２とを有するものであるが、該挿入部７１及び周部７２の形状が前記連結部材１０４と異なるものである。
【００３４】
前記挿入部７１は、図１０に示すように、前記端部５０ａが挿入可能な水平方向の長穴の両端から、更に下方へ長穴が連続的に形成されるとともに、長穴の後方側の端部から斜め後方へも長穴が形成された形状であり、これにより、上段フレーム１０５を直立姿勢で支持するための直立姿勢用軸受部７１ａ、屈曲姿勢で支持するための屈曲姿勢用軸受部７１ｂ、及び折畳姿勢で支持するための折畳姿勢用軸受部７１ｃが連続的に形成されている。
【００３５】
一方、前記周部７２は、挿入部７１の直立姿勢用軸受部７１ａの上方の位置に切欠された直立姿勢用軸受部７２ａ、及び前記挿入部７１の屈曲姿勢用軸受部７１ｂの斜め上方の位置に切欠された屈曲姿勢用軸受部７２ｂを有し、該直立姿勢用軸受部７２ａから屈曲姿勢用軸受部７２ｂを介して下方にかけて、前記端部５０ａが挿入部７１の直立姿勢用軸受部７１ａの上方の位置７１ｄに当接した状態における端部５１ａの回動軌道より若干内側となるような弧状部７２ｃが形成されたものである。
【００３６】
更に詳細に説明するに、直立姿勢においては、上段フレーム１０５の枠体５０の端部５１ａが挿入部７１の直立姿勢用軸受部７１ａに担持されるとともに、横枠５１の端部５１ａが周部７２の直立姿勢用軸受部７２ａに担持されて、連結部材１０７が、上段フレーム１０５を下段フレーム１０２と同一平面となるように支持する。
【００３７】
屈曲姿勢とする際には、上段フレーム１０５が引き上げられることにより、横枠５１の端部５１ａが周部７２の直立姿勢用軸受部７２ａから離脱されるとともに、枠体５０の端部５０ａが挿入部７１の直立姿勢用軸受部７１ａから離脱されて位置７１ｄに当接し、その状態で、端部５０ａを軸として上段フレーム１０５が屈曲姿勢用軸受部７２ｂ上まで前方へ回動され、その位置で上段フレーム１０５が斜め後方へ押しやられることにより、端部５０ａが挿入部７１の屈曲姿勢用軸受部７１ｂに、端部５１ａが周部７２の屈曲姿勢用軸受部７２ｂに嵌合されて、連結部材１０４が上段フレーム１０５を屈曲姿勢で支持する（図１０）。
【００３８】
折畳姿勢とする際には、上段フレーム１０５が斜め上方へ引き上げられることにより、横枠５１の端部５１ａが周部７２の屈曲姿勢用軸受部７２ｂから離脱されるとともに、枠体５０の端部７０ａも挿入部７１の屈曲姿勢用軸受部７１ｂから離脱される。前記位置７１ｄより前方に位置する端部５０ａを軸として上段フレーム１０５が下方へ回動された後、上段フレーム１０５は自重で下方向へ移動し、端部５０ａが挿入部７１の折畳姿勢用軸受部７１ｃに担持されて、連結部材１０７が上段フレーム１０５を折畳姿勢で支持する。
【００３９】
なお、前記連結部材１０４、１０７の説明においては、直立姿勢から上段フレーム１０５を回動して、順次、屈曲姿勢、折畳姿勢とする操作を例に説明しているが、勿論、その逆の操作を行うこともでき、また、直立姿勢から屈曲姿勢を経ずに折畳姿勢へ、又はその逆を行うこともできる。
【００４０】
以下、本可動フレーム装置１００の使用方法について説明する。
可動フレーム１００を設置すべき場所、例えば、隣地との境界や住宅の西側の地面Ｇに、土台１０１のコンクリートブロック１０部分を埋設して、本可動フレーム装置１００を設置する。必要であれば、複数の可動フレーム装置１００を並設する。なお、上段フレーム１０５の回動方向、即ち、可動フレーム装置１００の屈曲、折畳方向は住宅側となるように設置することが好ましい。
【００４１】
図１１は、植物１を育成させた可動フレーム装置１００を示す正面図であるが、設置した可動フレーム装置１００の下方の土壌を、植物を栽培するに適した土壌に改良又は入れ替えて、該土壌に植物の種子又は苗木等を植えて栽培すると、図に示すように、植物１は、下段フレーム１０２及び上段フレーム１０５に張設されたネット１０６にからみ付きながら成長する。育成する植物としては、ネット１０６にからみ付き易いつる性の植物、例えば、むべ、つきぬきにんどう、あけび、へちま、やぶがらし等が好適である。
【００４２】
なお、マンションのベランダ等に可動フレーム装置１００を設置する場合には、ベランダ上に土台１０１を載置し、該土台１０１間に、植物を育成するためのプランタ等の植栽容器を配置する。
【００４３】
また、季節等の影響により育成した植物１が枯れた場合には、枯れた植物がからみ付いたネット１０６自体を下段フレーム１０２及び上段フレーム１０５から取り外して廃棄し、新しいネット１０６を張設するとともに季節にあった別の植物を育成することにより、植物の植替えが容易となり、季節毎の植物の育成が楽しめる。
【００４４】
図１２は、直立姿勢、屈曲姿勢、折畳姿勢、又は倒伏姿勢の可動フレーム装置１００を示す模式図であるが、図１２(a)に示すように、可動フレーム装置１００を直立姿勢とすることにより、可動フレーム装置１００の高さは地面Ｇから約３００ｃｍとなり、目隠しや日除けとして十分な機能を発揮できる。
【００４５】
また、可動フレーム装置１００を藤棚として、又は緑陰として利用したい場合には、前述したように、連結部材１０４に直立姿勢で支持された上段フレーム１０５を一旦引き上げてから前方へ回動させ、連結部材１０４に上段フレーム１０５を屈曲姿勢で支持させる。これにより、図１２(b)に示すように、下段フレーム１０２の上端付近、即ち地面Ｇから約１８０ｃｍで上段フレームが折れ曲がった屈曲姿勢となる。なお、屈曲姿勢とすることにより、上段フレーム１０５側にまで育成した植物１の手入れも容易に行うことができる。
【００４６】
また、可動フレーム装置１００を低い目隠し等として使用する場合、又は、強風に可動フレーム装置１００が煽られて転倒することを防止する場合には、前述したように、連結部材１０４に屈曲姿勢で支持された上段フレームを一旦引き上げてから下方へ回動させ、連結部材１０４に上段フレーム１０５を折畳姿勢で支持させる。これにより、可動フレーム装置１００は地面Ｇから約１８０ｃｍとなり、耐風性も向上する。
【００４７】
更に、台風等の烈風時には、前述したように、土台１０１の挟入部材１１から固定部材１０３を抜脱し、下段フレーム１０２を地面Ｇに横たわるように回動させて、可動フレーム装置１００を倒伏姿勢とする。これにより、可動フレーム装置１００は折り畳まれた状態で、地面Ｇから約２０ｃｍ以下の高さに倒伏するので、台風等の烈風により可動フレーム１００が倒壊することを防止できる。
【００４８】
なお、下段フレーム１０２及び上段フレーム１０５に張設されたネット１０６は伸縮性を有するものであり、該ネット１０６に育成されたつる性の植物１も若干の柔軟性を有するものが多いので、前述したような可動フレーム装置１００の姿勢変更は、前記植物１をネット１０６にからみ付かせた状態のままで行っても、植物１を傷めることはない。
【００４９】
図１３は、本可動フレーム装置１００の姿勢を変更するために、補助的に用いる操作棒１０８の構成を示したものである。上段フレーム１０５を直立姿勢から屈曲姿勢若しくは折畳姿勢へ、又はその逆を行う際に補助的に用いる操作棒１０８を示す斜視図であるが、該操作棒１０８は、適当な長さの棒状体８０の先端に、上段フレーム１０５の枠体５０を担持可能なＵ字部材８１ａが所定間隔だけ離間されて対向位置に配置された担持部８１が設けられてなるものである。
【００５０】
例えば、可動フレーム装置１００を直立姿勢から屈曲姿勢等に変更する場合には、前述したように、上段フレーム１０５を一旦引き上げる必要があるが、直立姿勢では上段フレーム１０５の最上端は地面Ｇから約３００ｃｍにあるので、一人で上段フレーム１０５を左右均等に引き上げることは容易ではない。そのような場合に、前記操作棒１０８を用い、図１４に示すように、操作者は、操作棒１０８の棒状体８０の基端側を持って、Ｕ字部材８１ａで上段フレーム１０５の枠体５０の中央近傍を担持するようにして、上段フレーム１０５を左右均等に引き上げ、前方へ回動させる。これにより、可動フレーム装置１００の姿勢変更を、一人でも容易に行うことが可能となる。
【００５１】
なお、前記操作棒１０８の担時部８１に配置されたＵ字部材８１ａは１つであってもよいが、上段フレーム１０５を左右均等に引き上げ、回動させるには、２つ以上のＵ字部材８１ａを所定間隔だけ離間させた対向位置に設けることが好ましい。
【００５２】
【発明の効果】
本発明に係る可動フレーム装置によれば、所定位置に設置された土台と、土台に回動自在に設けられた下段フレームと、下段フレームを直立姿勢で固定する固定部材と、下段フレーム上端近傍に固定され、上段フレームを直立姿勢、屈曲姿勢、又は折畳姿勢で夫々支持する連結部材と、連結部材に前記各姿勢のうち任意の姿勢で支持された上段フレームと、下段フレーム及び上段フレームに夫々張設されたネットと、を具備し、前記上段フレームは、下端近傍から側方に突設された第１の支軸と、該第１の支軸の上方から側方に突設された第２の支軸とを具備するものであり、前記連結部材は、前記第１の支軸が挿入される挿入部と、該挿入部周りに前記第２の支軸の回動軌道より内側に形成された周部とを有し、前記挿入部に、第１の直立姿勢用軸受部、第１の屈曲姿勢用軸受部、及び折畳姿勢用軸受部が形成されるとともに、前記周部に、第２の直立姿勢用軸受部、及び第２の屈曲姿勢用軸受部が形成されてなるので、前記ネットに、例えばつる性の植物を育成することにより、目隠しや日除けとして使用でき、可動フレーム装置を直立姿勢、屈曲姿勢、折畳姿勢、又は倒伏姿勢のうち所望の姿勢に変更することにより、その高さを変更したり、緑陰や藤棚として使用できる他、強風等による可動フレーム装置の損傷や倒壊を防止することもできる。
【００５３】
また、本発明によれば、上段フレームを直立姿勢、屈曲姿勢、又は折畳姿勢で夫々支持する連結部材を、簡易な構造で得ることができる。これにより、可動フレーム装置の低コスト化及び軽量化を図ることができる。
【００５４】
また、本発明によれば、前記第１の支軸の先端近傍と第２の支軸の先端近傍との間に抜け防止部材が架設されたので、例えば、上段フレームの姿勢を変更する際に、上段フレームが連結部材から脱落することが防止され、可動フレーム装置の安全性を向上させることができる。
【００５５】
また、本発明によれば、前記土台は、基礎に下段フレームの下端部を挟入する挟入部材が立設されたものであり、該挟入部材及び下段フレームの下端部に、回動軸取付孔及び固定部材取付孔が夫々連穿され、該回動軸取付孔に回動軸が挿通されることにより、土台に下段フレームが回動自在に連結され、該固定部材取付孔に固定部材が挿抜されることにより、下段フレームを直立姿勢で固定、又は回動自在とされたものであるので、直立姿勢又は倒伏姿勢に変更可能な土台と下段フレームとの連結構造を簡易なものとすることができる。これにより、可動フレーム装置の低コスト化及び軽量化を図ることができる。
【００５６】
また、本発明によれば、前記下段フレーム及び上段フレームに、前記ネットを係止するための係止部が所定間隔で夫々並設され、前記ネットは、外周縁が各係止部に夫々係止されることにより、下段フレーム及び上段フレームに夫々着脱可能に張設されたものであるので、ネットに育成した植物が枯れた場合には、枯れた植物がからみ付いたネット自体を下段フレーム及び上段フレームから取り外して廃棄することができるので、植物の植替え等が容易となり、季節毎の植物の育成を楽しむことができる。
【００５８】
また、本発明に係る可動フレーム装置用ネットは、前記可動フレーム装置の係止部に係止されて、下段フレーム又は上段フレームに着脱可能に張設されるので、可動フレーム装置の張替用ネットとして有用である。
【図面の簡単な説明】
【図１】本発明の実施の形態に係る可動フレーム装置１００の構成を示す正面図である。
【図２】本発明の実施の形態に係る可動フレーム装置１００の構成を示す側面図である。
【図３】下段フレーム１０２の上部付近Ｐの詳細な構成を示す拡大斜視図である。
【図４】土台１０１及び下段フレーム１０２の下端部近傍Ｑの詳細な構成を示す分解斜視図である。
【図５】下段フレーム１０２を倒伏させた状態を示す部分側面図である。
【図６】連結部材１０４近傍Ｒの詳細な構成を示す部分拡大図である。
【図７】連結部材１０４が上段フレーム１０５を直立姿勢で支持した状態を示す図６のＡ−Ａ断面図である。
【図８】連結部材１０４が上段フレーム１０５を屈曲姿勢で支持した状態を示す断面図である。
【図９】連結部材１０４が上段フレーム１０５を折畳姿勢で支持した状態を示す断面図である。
【図１０】他の形態に係る連結部材１０７の構成を示す断面図である。
【図１１】植物１を育成させた可動フレーム装置１００を示す正面図である。
【図１２】図１２(a)は直立姿勢の可動フレーム装置１００を示す模式図であり、図１２(b)は屈曲姿勢の可動フレーム装置１００を示す模式図であり、図１２(c)は折畳姿勢の可動フレーム装置１００を示す模式図であり、図１２(d)は倒伏姿勢の可動フレーム装置１００を示す模式図である。
【図１３】操作棒１０８の構成を示す斜視図である。
【図１４】操作棒１０８の使用状態を示す模式図である。
【符号の説明】
１００  可動フレーム装置
１０１  土台
１０２  下段フレーム
１０３  固定部材
１０４、１０７  連結部材
１０５  上段フレーム
１０６  ネット（可動フレーム装置用ネット）
１０８  操作棒（可動フレーム装置用操作棒）
１０  コンクリートブロック(基礎)
１１  挟入部材
１１ｂ  回動軸取付孔
１１ｃ  固定部材取付孔
１２  ノブボルト（回動軸）
２２、５２  係止部
４１、７１  挿入部
４２、７２  周部
４１ａ、７１ａ  （第１の）直立姿勢用軸受部
４１ｂ、７１ｂ  （第１の）屈曲姿勢用軸受部
４１ｃ、７１ｃ  折畳姿勢用軸受部
４２ａ、７２ａ  （第２の）直立姿勢用軸受部
４２ｂ、７２ｂ  （第２の）屈曲姿勢用軸受部
５０ａ  端部（第１の支軸）
５１ａ  端部（第２の支軸）
５３  抜け防止部材
８０  棒状体
８１  担持部
【図１】
0003916904.tif 000002
【図２】
0003916904.tif 000003
【図３】
0003916904.tif 000004
【図４】
0003916904.tif 000005
【図５】
0003916904.tif 000006
【図６】
0003916904.tif 000007
【図７】
0003916904.tif 000008
【図８】
0003916904.tif 000009
【図９】
0003916904.tif 000010
【図１０】
0003916904.tif 000011
【図１１】
0003916904.tif 000012
【図１２】
0003916904.tif 000013
【図１３】
0003916904.tif 000014
【図１４】
0003916904.tif 000015